(57)【要約】【課題】光源自身の影を励起光照射側に作ることなく励起光を蛍光体に照射することができ、かつ光利用効率の高い蛍光発光を行うことができると共に、薄型化も可能な照明装置を提供する。【解決手段】励起光として青色光ＬＢまたは紫外光ＬＵＶを発する光源１１と、表面に蛍光反射面１５Ａを有する反射板１５とを備える。蛍光反射面１５Ａは、所定角度θを持って傾斜配置されると共に光源１１から発せられた励起光が照射されることにより励起されて蛍光発光する。蛍光反射面１５Ａには、光源１１から発せられた励起光が側面方向から入射する。その入射した励起光と蛍光反射面１５Ａで励起された発光光とを混色して照明光（白色光１７）として照明対象側に反射する。【選択図】図１
2009199832.tif 000002
【特許請求の範囲】
【請求項１】
励起光を発する光源を少なくとも１つ有する光源群と、
表面が所定角度を持って照明対象側に傾斜して配置されると共に前記光源群から発せられた励起光が照射されることにより励起されて蛍光発光する蛍光反射面とされ、その蛍光反射面に前記励起光が側面方向から入射されると共に、その入射した前記励起光と前記蛍光反射面で励起された発光光とを混色して照明光として照明対象側に反射するようになされた反射板と
を備えたことを特徴とする照明装置。
【請求項２】
前記反射板と前記光源群とを複数有し、前記反射板が同一面内方向に並列配置されていると共に、１または複数の前記反射板ごとに前記光源群が対応付けられて配置され、
前記複数の反射板のそれぞれの前記蛍光反射面において、前記光源群からの前記励起光が側面方向から入射されると共に、その入射した前記励起光と前記発光光とを混色して照明光として反射するようになされている
ことを特徴とする請求項１に記載の照明装置。
【請求項３】
前記複数の反射板と前記照明対象との間に配置された光線拡散手段をさらに備え、
前記光線拡散手段は、前記蛍光反射面で反射されずに前記光源群から前記照明対象側に直接向かう直接光と前記蛍光反射面で反射されて前記照明対象側に向かう反射光との光線出射方向の違いにより生ずる輝線を緩和するように構成されている
ことを特徴とする請求項２に記載の照明装置。
【請求項４】
前記光線拡散手段は、第１の方向から見たときの透明度に対して第２の方向から見たときの透明度が低くなるような透明度に角度依存性のあるフィルム状シートであり、
前記フィルム状シートは、前記第１の方向が前記反射光が向かう方向となり、前記第２の方向が前記直接光が向かう方向となるように配置されている
ことを特徴とする請求項３に記載の照明装置。
【請求項５】
前記光線拡散手段は、表面に複数のプリズムが形成されたプリズムシートであり、
前記プリズムシートの表面に形成されたプリズムは、前記反射光が向かう第１の方向に配置された第１の面と、前記直接光が向かう第２の方向に配置された第２の面とを有し、
前記第１の面は、前記励起光および前記発光光のうち前記発光光の波長帯域に対して高い反射率を有し、
前記第２の面は、前記励起光および前記発光光のうち前記励起光の波長帯域に対して高い反射率を有する
ことを特徴とする請求項３に記載の照明装置。
【請求項６】
前記光線拡散手段として、
表面に複数のプリズム状の溝が形成されたプリズムシートと、
前記プリズムシートに対して前記照明対象側に所定間隔を空けて対向配置され、プリズムシートを介して入射した光線を一様に拡散する拡散板とを有する
ことを特徴とする請求項３に記載の照明装置。
【請求項７】
前記プリズムシートは、表面に三角形状の微小プリズムが複数形成されたものであり、
前記微小プリズムの屈折効果により、前記直接光と前記反射光との光線出射方向の違いを緩和するように構成されている
ことを特徴とする請求項６に記載の照明装置。
【請求項８】
前記プリズムシートは、表面に全体として凹形状のフレネルレンズが複数形成されたフレネルレンズシートであり、
前記フレネルレンズの屈折効果により、前記直接光と前記反射光との光線出射方向の違いによる光束の明暗を緩和するように構成されている
ことを特徴とする請求項６に記載の照明装置。
【請求項９】
前記反射板に対して側面方向に配置され、前記光源群からの前記励起光を前記反射板の前記蛍光反射面に導くレンズシートをさらに備えた
ことを特徴とする請求項２に記載の照明装置。
【請求項１０】
前記光源群内の前記各光源は、前記励起光を上面方向に出射するものであり、
前記複数の反射板は、前記蛍光反射面の裏面側が反射面とされ、
前記反射板における前記裏面側に前記光源群が配置され、前記光源群から発せられた前記励起光が、前記反射板における前記裏面側の反射面で反射された後、隣接する他の反射板の蛍光反射面に入射するように構成されている
ことを特徴とする請求項２に記載の照明装置。
【請求項１１】
前記光源群は、前記複数の反射板よりも少ない数だけ設けられており、
１つの前記光源群からの前記励起光が、少なくとも２以上の前記反射板の前記裏面側の反射面に対して入射するように構成されている
ことを特徴とする請求項１０に記載の照明装置。
【請求項１２】
複数の光源ユニットを同一面内方向に並列配置して構成された照明装置であって、
前記複数の光源ユニットのそれそれが、前記反射板と前記光源群とを複数有する
ことを特徴とする請求項２に記載の照明装置。
【請求項１３】
少なくとも水平方向に前記光源ユニットが複数配置され、
前記各光源ユニットは、水平方向の一方の端部に前記光源群が配置されていると共に、水平方向の他方の端部には前記反射板が配置され、
水平方向に隣接する任意の２つの光源ユニットは、隣接する一方の光源ユニットにおける前記他方の端部に配置された前記反射板と、隣接する他方の光源ユニットにおける前記一方の端部に配置された前記光源群とが水平方向で重なり合うように組み合わされている
ことを特徴とする請求項１２に記載の照明装置。
【請求項１４】
前記蛍光反射面には、複数色の蛍光体が交互にストライプ状に形成されている
ことを特徴とする請求項１に記載の照明装置。
【請求項１５】
照明装置と、前記照明装置からの照明光を表示用の光として用いて映像を表示する表示部とを備えた表示装置であって、
前記照明装置は、
それぞれが異なる色光を発する複数の光源を含む光源群と、
表面が所定角度を持って照明対象側に傾斜して配置された蛍光反射面とされ、その蛍光反射面に前記光源群から発せられた各色光が側面方向から入射されると共に、その入射した前記各色光を混色して照明光として照明対象側に反射する反射板と
を有することを特徴とする表示装置。
【発明の詳細な説明】
【技術分野】
【０００１】
本発明は、蛍光発光を利用した照明装置および、その照明装置を用いた表示装置に関する。
【背景技術】
【０００２】
従来より、例えば液晶表示装置のバックライトの光源として、ＣＣＦＬ（Cold Cathode Fluorescent Lamp）などの棒状の蛍光管を使ったものが知られている。また、光源として棒状の紫外線ランプを用い、紫外線を可視光に変換して照明光とするようなバックライトも提案されている（特許文献１参照）。
【０００３】
【特許文献１】特開２００１−２６６６０５号公報
【発明の開示】
【発明が解決しようとする課題】
【０００４】
さらに最近では、バックライトの光源として、ＬＥＤ（Light Emitting Diode）を利用したものが登場し始めている。バックライトとしては、Ｒ（赤色），Ｇ（青色），Ｂ（青色）の各色のＬＥＤを組み合わせて混色するものと、単一のＬＥＤチップで白色発光を行うものとがある。特に単一のＬＥＤチップで白色発光を行うものは、色合わせのサーボシステムなどが不要と考えられると共に、ある程度広い色表示範囲が得られるため、将来有望視され、白色バックライトとして実用化されている。この場合、バックライトの構成としては一般的に、照明対象に対して側面方向に配置された光源からの光を導光板を介して照明対象側に導く導光型と、照明対象の直下に光源を配置した直下型とがある。また、バックライトの光出射側には、照明光を均一化するために拡散板が配置される。
【０００５】
ここで、導光型の場合は、導光板を薄くするなどして携帯電話等で実用化されている。導光型の場合は、導光板の設計を工夫することで、薄型化に有利である。しかしながら、導光型の場合、射出させる光の取り出し方法に課題があり、総じて、全反射により導光板内部に入り込んだ光を、板外部に射出させることと板内部封じ込めることとが相反する機能であるため、その点で矛盾し、光利用効率が悪いという欠点がある。また、重量も重くなるため、大型の機器ではあまり活用されない。一方、直下型は、光利用効率は良いが薄型化しにくいという欠点がある。
【０００６】
このように、導光型および直下型は共に、利点および欠点を持ち合わせており、特に、大型の液晶テレビなどで用いられる、直下型のタイプにおいては、より薄く高輝度で、色度のむらを減らすことが課題となっている。
【０００７】
ところで、従来のバックライトで用いられている蛍光管は、ガラス管の内部で発生した紫外線が、ガラス管内面に塗布された蛍光体を励起して白色発光する構造となっている。このような構造とされる場合は、励起光である紫外線が蛍光体内部で吸収されるため、励起光がガラス管の内面に塗布されている蛍光体を通過する際に減衰し、出射光に損失が生じる。この蛍光体自身の透過率の影響が避けられないため、蛍光体の透過光を観察するよりも、蛍光体での反射光を観察するほうが輝度が高く得られる。上記特許文献１には、紫外線ランプの外部に反射板を配置し、その反射板の表面に蛍光発光板を配置して紫外線ランプからの紫外光で励起することで、光利用効率の高い蛍光発光を行う発明が記載されている。特許文献１に記載の構造では、励起光が紫外線で不可視である。また、励起用の光源として具体的には例えば水銀放電のＵＶ蛍光発光ＣＣＦＬを用いることから、ガラス管が透明である。このため、励起光照射側からの観察に対して、励起用光源が影を作ることは無い構成である。
【０００８】
一方、励起光として青色ＬＥＤによる青色光を用い、赤と緑の蛍光体を励起して励起光と混色して白色光を得る構成が考えられる。この場合、励起光源である青色ＬＥＤは、紫外線ランプのように無色透明ではないため、単純に直下型のような構成にしてしまうと、光源自身が照明対象側から見えてしまう問題がある。仮に光源を空中に浮かせたとしても光源自身の影が励起光照射側にできてしまう。このため、励起光照射側を観測するような現実的な構成は実現できていなかった。
【０００９】
本発明はかかる問題点に鑑みてなされたもので、その目的は、光源自身の影を励起光照射側に作ることなく励起光を蛍光体に照射することができ、かつ光利用効率の高い蛍光発光を行うことができると共に、薄型化も可能な照明装置および表示装置を提供することにある。
【課題を解決するための手段】
【００１０】
本発明の照明装置は、励起光を発する光源を少なくとも１つ有する光源群と、表面が所定角度を持って照明対象側に傾斜して配置されると共に光源群から発せられた励起光が照射されることにより励起されて蛍光発光する蛍光反射面とされ、その蛍光反射面に励起光が側面方向から入射されると共に、その入射した励起光と蛍光反射面で励起された発光光とを混色して照明光として照明対象側に反射するようになされた反射板とを備えたものである。
【００１１】
本発明の表示装置は、照明装置と、その照明装置からの照明光を表示用の光として用いて映像を表示する表示部とを備えた表示装置であって、照明装置が、上記本発明の照明装置によって構成されているものである。
【００１２】
本発明の照明装置または表示装置では、表面が所定角度を持って傾斜配置された蛍光反射面に、光源群から発せられた励起光が側面方向から入射される。その入射した励起光と蛍光反射面で励起された発光光とが混色されて照明光として照明対象側に反射される。
【００１３】
本発明の照明装置において、反射板と光源群とを複数有し、反射板が同一面内方向に並列配置されていると共に、１または複数の反射板ごとに光源群が対応付けられて配置されていても良い。そして、複数の反射板のそれぞれの蛍光反射面において、光源群からの励起光が側面方向から入射されると共に、その入射した励起光と発光光とを混色して照明光として反射するようになされていても良い。
この場合、例えば反射板と光源群とを同一面内方向に交互に複数並列配置することで、全体として薄型化を図りやすくなる。
【発明の効果】
【００１４】
本発明の照明装置または表示装置によれば、表面が所定角度を持って傾斜配置された蛍光反射面に、光源群から発せられた励起光を側面方向から入射し、その入射した励起光と蛍光反射面で励起された発光光とを混色して照明光として照明対象側に反射するようにしたので、光源自身の影を励起光照射側に作ることなく励起光を蛍光体に照射することができ、かつ光利用効率の高い蛍光発光を行うことができると共に、薄型化も可能となる。
【００１５】
特に、反射板と光源群とを複数有し、反射板が同一面内方向に並列配置するようにした場合には、例えば反射板と光源群とを同一面内方向に交互に複数並列配置することで、より薄型化しやすくなる。
【発明を実施するための最良の形態】
【００１６】
以下、本発明の実施の形態について図面を参照して詳細に説明する。
［第１の実施の形態］
【００１７】
図１（Ａ），（Ｂ）は、本発明の第１の実施の形態に係る照明装置の基本原理を示している。
この照明装置は、左側方部に配置された第１の光源１１と、表面が第１の光源１１からの光が照射される蛍光反射面１５Ａとされた第１の反射板１５とを備えている。第１の反射板１５は、蛍光反射面１５Ａが所定角度θを持つように照明対象側に傾斜して配置されている。この照明装置はまた、右側方部に配置された第２の光源１３と、表面が第２の光源１３からの光が照射される蛍光反射面１６Ａとされた第２の反射板１６とを備えている。第２の反射板１６の蛍光反射面１６Ａは、第１の反射板１５の蛍光反射面１５Ａとは逆方向に所定角度θを持つように傾斜配置されている。第２の光源１３および第２の反射板１６は、第１の光源１１および第１の反射板１５に対して略対称的に配置されている。この照明装置の上側（光出射側）には、拡散板１０が配置されている。
【００１８】
第１の光源１１は、図１（Ａ）に示したように、励起光として青色光ＬＢまたは紫外光ＬＵＶを発するものである。第１の光源１１からの励起光は、集光鏡１２によって、側面方向から第１の反射板１５の蛍光反射面１５Ａに全体的に照射されるようになっている。蛍光反射面１５Ａには、励起光が照射されることにより励起されて蛍光発光する蛍光体が塗布されている。反射板１５は、蛍光反射面１５Ａに第１の光源１１からの励起光が側面方向から入射されると共に、その入射した励起光と蛍光反射面１５Ａで励起された発光光とを反射して加法混色することで白色光１７とし、その白色光１７を照明光として照明対象側（上側）に反射するようになっている。
【００１９】
第２の光源１３も同様に、図１（Ｂ）に示したように、励起光として青色光ＬＢまたは紫外光ＬＵＶを発するものである。第２の光源１３からの励起光は、集光鏡１４によって、側面方向から第２の反射板１６の蛍光反射面１６Ａに全体的に照射されるようになっている。蛍光反射面１６Ａには、励起光が照射されることにより励起されて蛍光発光する蛍光体が塗布されている。反射板１６は、蛍光反射面１６Ａに第２の光源１３からの励起光が側面方向から入射されると共に、その入射した励起光と蛍光反射面１６Ａで励起された発光光とを反射して加法混色することで白色光１７とし、その白色光１７を照明光として照明対象側（上側）に反射するようになっている。
【００２０】
この照明装置では、図１（Ａ）に示したように、第１の光源１１からの励起光は、第１の光源１１の近くに配置された第２の反射板１６にはほとんど照射されることなく、逆側に離れて配置された第１の反射板１５の蛍光反射面１５Ａに照射される。逆側に配置された第２の光源１３についても同様に、図１（Ｂ）に示したように、第２の光源１３からの励起光は、第２の光源１３の近くに配置された第１の反射板１５にはほとんど照射されることなく、逆側に離れて配置された第２の反射板１６の蛍光反射面１６Ａに照射される。この照明装置では、第１の光源１１と第２の光源１３とで互いに逆側に配置された反射板１５，１６を照射するので、光源自身の影を作らないようにして励起光を照射することが可能である。この照明装置では、光源と照射面との距離を十分に取り、光を均一かつ広範囲に照射することで効率よく混色を行うことができるが、そのような構成は十分な厚みが取れれば実現可能である。また、この照明装置では、光源として非常に大きな出力のＬＥＤを用いることで、第１の光源１１および第２の光源１３としてそれぞれ、例えば青色ＬＥＤを１つだけ用いた簡単な構成とすることができる。
【００２１】
図２は、図１の基本原理に示した構成をより薄型化した構成例を示している。
図２に示した照明装置は、光源群としてのＬＥＤ群２１と、反射板２３とを複数有し、かつ、ＬＥＤ群２１と反射板２３とを同一面内方向に交互に並列配置したものである。反射板２３の表面は、ＬＥＤ群２１からの光が照射される蛍光反射面２３Ａとされている。蛍光反射面２３Ａは所定角度θを持つように傾斜配置されている。この照明装置は例えば、筐体１８における水平方向の一方の端部（図２の例では左端部）に１つのＬＥＤ群２１が位置し、水平方向の他方の端部（図２の例では右端部）には１つの反射板２３が位置するように、ＬＥＤ群２１と反射板２３とが交互に配置されている。
【００２２】
この照明装置は、複数の反射板２３のそれぞれに対して側面方向にＬＥＤ群２１が配置され、複数の反射板２３のそれぞれの蛍光反射面２３Ａにおいて、励起光が側面方向から入射されると共に、その入射して反射した励起光１９と蛍光反射面２３Ａで励起されて反射した発光光２０とを加法混色することで白色光２４とし、その白色光２４を照明光として照明対象側（上側）に反射するようになっている。
【００２３】
この照明装置において、ＬＥＤ群２１は、光源としての青色ＬＥＤ２１Ｂを少なくとも１つ有している。青色ＬＥＤ２１Ｂは、励起光として青色光ＬＢを発するものである。図２に示した構成例では、ＬＥＤ群２１として、複数の青色ＬＥＤ２１Ｂを有し、それらが垂直方向（上下方向）に所定のピッチで配置されている。
【００２４】
この照明装置において、反射板２３の側面方向で、ＬＥＤ群２１と反射板２３との間には、レンズシート２２が配置されている。レンズシート２２は、ＬＥＤ群２１内での複数の青色ＬＥＤ２１Ｂからの励起光を効率的、かつ均一に蛍光反射面２３Ａに導くためのものである。具体的には、ＬＥＤ群２１内での複数の青色ＬＥＤ２１Ｂ間の光源としてのばらつきを回避したり、蛍光反射面２３Ａに入射せずに励起光が直接、照明対象側に出射されることを緩和する目的で設けられている。レンズシート２２は、例えば表面に複数のプリズム状のレンズが形成されて垂直方向に屈折力を有したものである。
【００２５】
この照明装置において、隣接するＬＥＤ群２１の距離Ｌ１（図２）と全体の厚みＤ１は任意に構成できる。また、反射板２３の傾斜角度θは、ＬＥＤ群２１の物理的寸法に応じて適宜設定できる。傾斜角度θは、４５°以下が望ましい。ＬＥＤ群２１内のＬＥＤの使用個数を減らしたい場合は、角度θを小さくすると良い。
【００２６】
この照明装置は、励起光を側面方向から蛍光反射面２３Ａに入射すると共に、その入射して反射した励起光１９と蛍光反射面２３Ａで励起されて反射した発光光２０とを加法混色することで白色光２４とし、それを照明光として照明対象側（上側）に反射するという点で、照明光を生成する原理自体は図１の構成例と同様である。
【００２７】
次に、この照明装置における蛍光反射面２３Ａの蛍光体の構造について説明する。
【００２８】
まず、励起光として紫外光ＬＵＶを用いて白色光を得る場合について説明する。図４（Ａ），（Ｂ）は、紫外光ＬＵＶを用いて白色光を得る場合の蛍光面の構成例とその発光強度の特性を示している。蛍光体としては、赤色蛍光体５Ｒ、青色蛍光体５Ｂ、および緑色蛍光体５Ｇを用いるものとする。具体的な構造を説明する前に、図３を参照して、励起光として紫外光ＬＵＶを用いた場合の各蛍光体の励起と発光の依存関係を説明する。赤色蛍光体５Ｒ、青色蛍光体５Ｂ、および緑色蛍光体５Ｇが同一の蛍光面に塗布されている場合、長波長側の蛍光体は、元々の励起光である紫外光ＬＵＶのみならず、短波長側の他の蛍光体で発光した色光を再吸収して発光しやすい。例えば青色蛍光体５Ｂは励起光である紫外光ＬＵＶによって励起されて青色光ＬＢを発するが、緑色蛍光体５Ｇは紫外光ＬＵＶによる励起だけでなく、青色蛍光体５Ｂで発せられた青色光ＬＢを再吸収して緑色光に変換しやすい。さらに赤色蛍光体５Ｒは紫外光ＬＵＶによる励起だけでなく、青色蛍光体５Ｂで発せられた青色光ＬＢと緑色蛍光体５Ｇで発せられた緑色光とを再吸収して赤色光に変換しやすい。
【００２９】
このような特性があるため、例えば図４（Ａ）に示したように赤色蛍光体５Ｒ、青色蛍光体５Ｂ、および緑色蛍光体５Ｇの粒子をランダムに混ぜた蛍光面の構造とすると、短波長側の色光が長波長側の色光に変換されるため、相対的に長波長側の色光ほど発光強度が高くなり、色のバランスが悪くなってしまう。これに対し、図４（Ｂ）に示したように赤色蛍光体５Ｒ、青色蛍光体５Ｂ、および緑色蛍光体５Ｇの粒子をストライプ状に各色領域に分けた構造にした場合、長波長側の蛍光体が他の短波長側の発光光を吸収しにくくなるので、各色の発光量のバランスがとりやすい。特に、図４（Ａ）の構造に比べて青の輝度が大きく取れるため、発光効率が良い。蛍光発光は拡散性があるため、ストライプのピッチ幅は、視覚的に混色可能な幅であればよく、例えば数ｍｍ〜数１００μｍまで自由である。
【００３０】
次に、励起光として青色光ＬＢを用いて白色光を得る場合について説明する。図６（Ａ），（Ｂ）は、青色光ＬＢを用いて白色光を得る場合の蛍光面の構成例とその発光強度の特性を示している。蛍光体としては、赤色蛍光体５Ｒ、および緑色蛍光体５Ｇを用いるものとする。具体的な構造を説明する前に、図５を参照して、励起光として青色光ＬＢを用いた場合の各蛍光体の励起と発光の依存関係を説明する。この場合も基本的には、励起光として紫外光ＬＵＶを用いた場合と同様である。すなわち、赤色蛍光体５Ｒ、および緑色蛍光体５Ｇが同一の蛍光面に塗布されている場合、緑色蛍光体５Ｇは励起光である青色光ＬＢによって励起されて緑色光を発するが、長波長側の赤色蛍光体５Ｒは青色光ＬＢによる励起だけでなく、短波長側の緑色蛍光体５Ｇで発せられた緑色光を再吸収して赤色光に変換しやすい。
【００３１】
このような特性があるため、例えば図６（Ａ）に示したように赤色蛍光体５Ｒおよび緑色蛍光体５Ｇの粒子をランダムに混ぜた蛍光面の構造とすると、短波長側の色光が長波長側の色光に変換されるため、相対的に長波長側の色光ほど発光強度が高くなり、色のバランスが悪くなってしまう。これに対し、図６（Ｂ）に示したように赤色蛍光体５Ｒおよび緑色蛍光体５Ｇの粒子をストライプ状に各色領域に分けた構造にした場合、長波長側の蛍光体が他の短波長側の発光光を吸収しにくくなるので、各色の発光量のバランスがとりやすい。なお、図６（Ａ），（Ｂ）の構造は蛍光面が透過型のものであり、蛍光面を透過した青色光ＬＢと赤色蛍光体５Ｒおよび緑色蛍光体５Ｇで励起された赤色光および緑色光とを混色するものとする。図６（Ｂ）の未塗布領域６は青色光ＬＢを透過させる領域である。図６（Ｂ）の構造では、図６（Ａ）の構造に比べて青の透過輝度が大きく取れるため、発光効率が良い。図６（Ａ）の構造では、未塗布領域６を設けていないので青の透過率が悪く、色温度が低下し暗くなってしまう。蛍光発光は拡散性があるため、ストライプのピッチ幅は、視覚的に混色可能な幅であればよく、例えば数ｍｍ〜数１００μｍまで自由である。
【００３２】
図７は、励起光として青色光ＬＢを用いる場合の透過型の蛍光面の第３の構成例を示している。各色の蛍光体の粒子を混ぜて塗布したものであっても、緑色光が赤の発光用に再吸収されにくい蛍光体も存在する。このような蛍光体を用いる場合、赤色蛍光体５Ｒおよび緑色蛍光体５Ｇの粒子をランダムに混ぜて塗布した領域と、蛍光体を何も塗布しない未塗布領域６とをストライプ状に分けて形成すると良い。これにより、励起光である青の透過輝度が大きく取れるため、効率が良い。蛍光発光は拡散性があるため、ストライプのピッチ幅は、視覚的に混色可能な幅あればよく、数ｍｍ〜数１００μまで自由である。
【００３３】
図２に示した本実施の形態における照明装置では、透過型の蛍光面ではなく反射型の蛍光面（蛍光反射面２３Ａ）であるため、透過による青色光ＬＢの減衰は少ない。このため、図６（Ｂ）の構造における未塗布領域６を設けることなく、効率的にバランスの良い白色光を得ることができる。例えば単純に赤色蛍光体５Ｒと緑色蛍光体５Ｇとを数ｍｍ〜数１００μ程度の幅で交互に塗布した赤と緑のストライプ状の構造で良い。本実施の形態では、透過型の場合に比べて、未塗布領域６を設ける必要がないので、加工工程的に有利である。
【００３４】
図８は、本実施の形態に係る照明装置を用いた表示装置の一例を示している。
この表示装置は、透過型の液晶表示装置であり、バックライト１と、液晶パネル２と、バックライト１と液晶パネル２との間に配置された拡散板１０とを備えている。バックライト１は、本実施の形態に係る照明装置（図１または図２）を用いて構成されている。液晶パネル２は、バックライト１からの照明光を表示用の光として用いて映像を表示する表示部である。
【００３５】
この表示装置では、バックライト１からの照明光が拡散板１０を介して液晶パネル２の裏面側から照射される。液晶パネル２では、映像信号に基づいて照明光を変調することで、映像を表示する。
【００３６】
以上説明したように、本実施の形態の照明装置によれば、図１に示したように、表面が所定角度を持って傾斜配置された蛍光反射面１５Ａ，１６Ａに、光源１１，１３から発せられた励起光を側面方向から入射し、その入射した励起光と蛍光反射面１５Ａ，１６Ａで励起された発光光とを混色して照明光として照明対象側に反射するようにしたので、光源自身の影を励起光照射側に作ることなく励起光を蛍光体に照射することができ、かつ光利用効率の高い蛍光発光を行うことができる。特に、図２に示したように、反射板２３と光源群としてのＬＥＤ群２１とを同一面内方向に交互に複数並列配置した構成にした場合には、より薄型化しやすくなる。
［第２の実施の形態］
【００３７】
次に、本発明の第２の実施の形態を説明する。なお、上記第１の実施の形態と実質的に同一の構成部分には同一の符号を付し、適宜説明を省略する。
【００３８】
図９（Ａ），（Ｂ）は、本発明の第２の実施の形態に係る照明装置の構成例を示している。特に図９（Ａ）では、この照明装置を側方視した状態、図９（Ｂ）では上面方向から斜方視した状態を図示している。
【００３９】
この照明装置は、光源群としての複数のＬＥＤ群３１と、複数の反射板２３とを備えている。ＬＥＤ群３１と反射板２３は、図２の構成例と同様、同一面内方向に交互に並列配置されている。また、筐体１８における水平方向の一方の端部（図９（Ａ）の例では左端部）に１つのＬＥＤ群３１が位置し、水平方向の他方の端部（図９（Ａ）の例では右端部）には１つの反射板２３が位置するように、ＬＥＤ群３１と反射板２３とが交互に配置されている。
【００４０】
この照明装置において、ＬＥＤ群３１は、光源としての青色ＬＥＤ３１Ｂを複数有している。青色ＬＥＤ３１Ｂは、励起光として青色光ＬＢを発するものである。青色ＬＥＤ３１Ｂは、側面方向が発光面３０とされた側面射出型のＬＥＤで構成されている。青色ＬＥＤ３１Ｂはまた、駆動用の電極３１Ａを有している。
【００４１】
本実施の形態では、上記第１の実施の形態における図２の構成例に対してＬＥＤ群３１内のＬＥＤの配置が異なっている。図２に示した構成例では、複数の青色ＬＥＤ２１Ｂが垂直方向（上下方向）に配置されていたが、本実施の形態では、１つの反射板２３に対応する１つのＬＥＤ群３１内において、複数の青色ＬＥＤ３１Ｂが、図９（Ｂ）に示したように、第１の方向（縦方向（ｙ方向））に直線的に配列されている。また、ＬＥＤ群３１は、第１の方向に直交する第２の方向（水平横方向（図のｘ方向））に複数、配置されている。これにより、複数のＬＥＤ群３１を全体としてみたときに、縦方向および横方向で複数の青色ＬＥＤ２１Ｂが２次元配列されたような配置とされている。これにより、光源としてのＬＥＤの空間利用効率が高い配置とされている。
【００４２】
この照明装置において、反射板２３の側面方向で、ＬＥＤ群３１と反射板２３との間には、レンズシート３２が配置されている。レンズシート３２は、ＬＥＤ群３１内での複数の青色ＬＥＤ３１Ｂからの励起光を効率的、かつ均一に蛍光反射面２３Ａに導くためのものである。具体的には、ＬＥＤ群３１内での複数の青色ＬＥＤ３１Ｂ間の光源としてのばらつきを回避したり、蛍光反射面２３Ａに入射せずに励起光が直接、照明対象側に出射されることを緩和する目的で設けられている。レンズシート３２は、例えば表面に複数のプリズム状のレンズが形成されて例えばｙ方向に屈折力を有したものである。
【００４３】
この照明装置は、ＬＥＤ群３１からの励起光を側面方向から蛍光反射面２３Ａに入射すると共に、その入射して反射した励起光１９と蛍光反射面２３Ａで励起されて反射した発光光２０とを加法混色することで白色光２４とし、それを照明光として照明対象側（上側）に反射するという点で、照明光を生成する原理自体は図２の構成例と同様である。また、基本的な作用・効果は、図２の構成例と同様である。
［第３の実施の形態］
【００４４】
次に、本発明の第３の実施の形態を説明する。なお、上述の各実施の形態と実質的に同一の構成部分には同一の符号を付し、適宜説明を省略する。
【００４５】
図１０（Ａ），（Ｂ）は、本発明の第３の実施の形態に係る照明装置の構成例を示している。特に図１０（Ａ）では、この照明装置を上方視した状態、図１０（Ｂ）では側方視した状態を図示している。
【００４６】
この照明装置は、光源群としての複数のＬＥＤ群５１と、複数の反射板２３とを備えている。ＬＥＤ群５１と反射板２３は、例えば図９（Ａ），（Ｂ）の構成例と同様、同一面内方向に交互に並列配置されている。ただし、図９（Ａ），（Ｂ）の構成例では光源として側面射出型のＬＥＤを用いたが、本実施の形態では上面射出型のＬＥＤを用いている。
【００４７】
この照明装置において、ＬＥＤ群５１は、光源としての青色ＬＥＤ５１Ｂを複数有している。青色ＬＥＤ５１Ｂは、励起光として青色光ＬＢを発するものである。青色ＬＥＤ５１Ｂは、上面方向が発光面３０とされた上面射出型のＬＥＤで構成されている。青色ＬＥＤ５１Ｂはまた、駆動用の電極３１Ａを有している。
【００４８】
この照明装置ではまた、反射板２３の裏面（蛍光反射面２３Ａの裏面側）が反射面２３Ｂとされている。そして、反射板２３における裏面側にＬＥＤ群５１が配置され、ＬＥＤ群５１から発せられた励起光が、反射板２３における裏面側の反射面２３Ｂで反射された後、隣接する他の反射板２３の蛍光反射面２３Ａに入射するように構成されている。反射面２３Ｂは、表面を鏡面反射コーティングすることで構成する。
【００４９】
この照明装置は、光源として上面射出型のＬＥＤを用い、反射板２３の裏面の反射面２３Ｂを介してＬＥＤ群５１からの励起光を側面方向から蛍光反射面２３Ａに照射するという点を除いて、他の基本的な作用・効果は、上記第２の実施の形態の構成例と同様である。
［第４の実施の形態］
【００５０】
次に、本発明の第４の実施の形態を説明する。なお、上述の各実施の形態と実質的に同一の構成部分には同一の符号を付し、適宜説明を省略する。
【００５１】
図１１は、本発明の第４の実施の形態に係る照明装置の構成例を示している。
本実施の形態も、上記第３の実施の形態と同様、光源が上面射出型の青色ＬＥＤ５１Ｂで構成されている。本実施の形態は、光源の使用個数を減らしたい場合の構成例である。上記第３の実施の形態では、ＬＥＤ群５１と反射板２３とが交互に配置され、ＬＥＤ群５１と反射板２３とが一対一に対応付けられて配置されていたが、本実施の形態では、ＬＥＤ群５１の設置数が、反射板２３の設置数よりも少ない構成とされている。そして、１つのＬＥＤ群５１からの青色光ＬＢが、少なくとも２以上の反射板２３の裏面側の反射面２３Ｂに対して入射するように構成されている。このため、上記第３の実施の形態の構成に比べて、ＬＥＤ群５１が、反射板２３よりも下方に、ある程度の距離Ｄ２を空けて配置されている。
【００５２】
この照明装置は、１つのＬＥＤ群５１からの青色光ＬＢを、複数の反射板２３の裏面側に入射させて励起光として用いる点を除いて、他の基本的な作用・効果は、上記第３の実施の形態の構成例と同様である。
［第５の実施の形態］
【００５３】
次に、本発明の第５の実施の形態を説明する。なお、上述の各実施の形態と実質的に同一の構成部分には同一の符号を付し、適宜説明を省略する。
【００５４】
例えば上記第２の実施の形態に示した照明装置では、観測方向により輝度の違いが生じ、輝線を発生してしまうおそれがある。すなわち、図１２に示したように、第１の方向Ｍでは反射板２３の蛍光反射面２３Ａで反射された反射光（主に発光光２０（赤色光および緑色光））が支配的に観測され、第２の方向Ｎでは蛍光反射面２３Ａで反射されずにＬＥＤ群３１から照明対象側に直接向かう直接光（青色光ＬＢ）が観測される。これらの光線出射方向の違いにより輝線が生ずるおそれがある。
【００５５】
このため、本実施の形態に係る照明装置は、複数の反射板２３と照明対象との間に光線拡散手段をさらに備え、直接光と反射光との光線出射方向の違いにより生ずる輝線を緩和するように構成したものである。
【００５６】
図１３は、光線拡散手段として方向選択性拡散シート２５を配置した構成例である。
方向選択性拡散シート２５は、ある方向から見たときの透明度に対して他の方向から見たときの透明度が低くなるような、透明度に角度依存性のあるフィルム状シートである。このような特性を持つ光学フィルムとしては、例えば住友化学株式会社のルミスティがある。方向選択性拡散シート２５における透明度が高くなる（へーズ値が小さくなる）方向を反射光が向かう方向（第１の方向Ｍ）、透明度が低くなる（へーズ値が大きくなる）方向を直接光が向かう方向（第２の方向Ｎ）となるように配置することで、上記輝線を緩和することができる。
【００５７】
図１４は、光線拡散手段としてプリズムシート２６を配置した構成例である。
プリズムシート２６は、表面に複数の微小プリズム２６Ａが例えば等間隔に所定ピッチで形成されたものである。微小プリズム２６Ａは、断面が略三角形状であり、反射光が向かう第１の方向Ｍに配置された第１の面２６Ｍと、直接光が向かう第２の方向Ｎに配置された第２の面２６Ｎとを有している。第１の面２６Ｍは、励起光１９（青色光ＬＢ）および発光光２０（赤色光および緑色光）のうち発光光２０の波長帯域に対して高い反射率を有している。第２の面２６Ｎは、励起光１９および発光光２０のうち励起光１９の波長帯域に対して高い反射率を有している。これにより、第１の面２６Ｍでは、発光光２０の一部を蛍光反射面２３Ａ側に回帰させて光の再利用を図る。また、第２の面２６Ｎでは、青色光ＬＢを光源側に回帰させて光の再利用を図る。
【００５８】
なお、本実施の形態に係る照明装置を例えば表示装置のバックライトとして用いる場合、図の方向４１を下側に、図の方向４２を上側に配置すると良い。一般に、テレビ用途などの表示装置の場合、やや下側から表示装置を見上げるような視聴形態を取ることが多いと考えられる。そのような場合、図の方向４１を下側に配置することで、第１の方向Ｍ側からの光が支配的に観測されることになり、輝度の良好な観測を行うことができる。
【００５９】
なお、第１、第３および第４の実施の形態に係る構成例についても同様の光線拡散手段を配置することが可能である。
［第６の実施の形態］
【００６０】
次に、本発明の第６の実施の形態を説明する。なお、上述の各実施の形態と実質的に同一の構成部分には同一の符号を付し、適宜説明を省略する。
【００６１】
本実施の形態は、上記第５の実施の形態と同様に、観測方向による輝度の違いを緩和するための構成に関する。図１５は、本実施の形態に係る照明装置の構成例を示している。
この照明装置は、上記第５の実施の形態で説明した光線拡散手段として、表面に複数のプリズム状の溝が形成されたプリズムシート２７と、プリズムシート２７に対して照明対象側に所定間隔ｄを空けて対向配置され、プリズムシート２７を介して入射した光線を一様に拡散する拡散板１０とを用いたものである。
【００６２】
プリズムシート２７は、図１７に拡大して示したように、表面に三角形状の微小プリズム２７Ａが複数形成されたものである。ここで、図１６に示したように、屈折率ｎ０の媒質（例えば空気）から屈折率ｎ１の媒質（例えば透明樹脂）に光線が入射すると、角度αで入射した光線は角度βで屈折する。プリズムシート２７は、微小プリズム２７Ａの屈折効果により、直接光と反射光との光線出射方向の違いを緩和するように構成されている。
【００６３】
微小プリズム２７Ａは、反射光が向かう第１の方向Ｍに配置された第１の面２７Ｍと、直接光が向かう第２の方向Ｎに配置された第２の面２７Ｎとを有している。微小プリズム２７Ａの第１の面２７Ｍと第２の面２７Ｎの透明度は同一とされている。ここで、プリズムシート２７は、微小プリズム２７Ａの頂角θ１、および隣接する第１の面２７Ｍと第２の面２７Ｎとのなす角度θ２，θ３を適宜調整することで、入射光線を中央の方向Ｊに矯正して出射させることが可能である。
【００６４】
例えば、反射光が向かう第１の方向Ｍと直接光が向かう第２の方向Ｎとが略対称的であれば、図１７に示した構成例のように、角度θ２＝θ３として、微小プリズム２７Ａの構成を略対称的な形状とすると共に、微小プリズム２７Ａの屈折率を適切に設定することで光線出射方向を適切に矯正することができる。一方、反射光が向かう第１の方向Ｍと直接光が向かう第２の方向Ｎとが非対称であれば、図１８に示した構成例のように、角度θ２と角度θ３とを異ならせて微小プリズム２７Ａの構成を非対称な形状とすれば良い。
【００６５】
図１９は、本実施の形態における光線拡散手段としての効果を示している。本実施の形態ではまず、プリズムシート２７における屈折効果により、反射光と直接光との光線出射方向の違いが矯正され、光線出射方向が略同一方向とされる。そして、プリズムシート２７から拡散板１０までの間隔ｄを十分に取ることで、プリズムシート２７と拡散板１０との間の領域で光線密度が略一様化される。さらに、拡散板１０を経ることで光線が拡散し、輝度むらが緩和される。これにより、光線出射方向の違いによる輝線が緩和される。
【００６６】
なお、プリズムには屈折効果のほかにも、反射効果があるため、入射光線の角度によっては、例えば図２０に示したように、微小プリズム２７Ａの第１の面２７Ｍと第２の面２７Ｎとで２重反射して、光線が反射板２３の蛍光反射面２３Ａに再帰的に入射することもある。これにより、混色性をより高める効果が期待される。
【００６７】
なお、本実施の形態に係る照明装置を例えば表示装置のバックライトとして用いる場合、図１５の方向４１を下側に、図の方向４２を上側に配置すると良い。一般に、テレビ用途などの表示装置の場合、やや下側から表示装置を見上げるような視聴形態を取ることが多いと考えられる。そのような場合、図の方向４１を下側に配置することで、第１の方向Ｍ側からの光が支配的に観測されることになり、輝度の良好な観測を行うことができる。
【００６８】
なお、第１、第３および第４の実施の形態に係る構成例についても同様の光線拡散手段を配置することが可能である。
［第７の実施の形態］
【００６９】
次に、本発明の第７の実施の形態を説明する。なお、上述の各実施の形態と実質的に同一の構成部分には同一の符号を付し、適宜説明を省略する。
【００７０】
本実施の形態は、上記第６の実施の形態と同様に、観測方向による輝度の違いを緩和するための構成に関する。図２１は、本実施の形態に係る照明装置の構成例を示している。
この照明装置は、上記第６の実施の形態におけるプリズムシート２７（図１５）に代えて、フレネルレンズシート２８を備えたものである。
【００７１】
フレネルレンズシート２８は、図２２（Ｂ）に拡大して示したように、表面にフレネルレンズ２８Ａが複数形成されたものである。フレネルレンズ２８Ａは、表面に同心円状に溝が形成されていることにより、全体として凹形状で、凹レンズ２９としてのレンズ作用を持つものである。フレネルレンズ２８Ａは、図２２（Ａ）に拡大して示したように、中央部から周辺部に行くに従い溝の起伏が高くなるような形状とされている。フレネルレンズシート２８は、フレネルレンズ２８Ａの屈折効果により、直接光と反射光との光線出射方向の違いによる光束の明暗を緩和するように構成されている。輝度の明暗を緩和するために、フレネルレンズ２８Ａの中央部には明部となる光束が入射し、フレネルレンズ２８Ａの周縁部には暗部となる光束が入射するように調整してフレネルレンズシート２８を配置する。
【００７２】
図２３は、本実施の形態における光線拡散手段としての効果を示している。本実施の形態ではまず、フレネルレンズシート２８における屈折効果により、反射光と直接光との光線出射方向の違いによる光束の明暗が矯正される。すなわち、フレネルレンズ２８Ａの中央部に入射した明部の光束がフレネルレンズ２８Ａの周縁部に振り分けられ、明部と暗部が中和されることで、明暗が矯正される。そして、フレネルレンズシート２８から拡散板１０までの間隔ｄを十分に取ることで、フレネルレンズシート２８と拡散板１０との間の領域で光線密度が略一様化される。さらに、拡散板１０を経ることで光線が拡散し、輝度むらが緩和される。これにより、光線出射方向の違いによる輝線が緩和される。
【００７３】
なお、本実施の形態に係る照明装置を例えば表示装置のバックライトとして用いる場合、図２１の方向４１を下側に、図の方向４２を上側に配置すると良い。一般に、テレビ用途などの表示装置の場合、やや下側から表示装置を見上げるような視聴形態を取ることが多いと考えられる。そのような場合、図の方向４１を下側に配置することで、第１の方向Ｍ側からの光が支配的に観測されることになり、輝度の良好な観測を行うことができる。
【００７４】
なお、第１、第３および第４の実施の形態に係る構成例についても同様の光線拡散手段を配置することが可能である。
［第８の実施の形態］
【００７５】
次に、本発明の第８の実施の形態を説明する。なお、上述の各実施の形態と実質的に同一の構成部分には同一の符号を付し、適宜説明を省略する。
【００７６】
図２４は、本発明の第８の実施の形態に係る照明装置の全体構成を示している。
本実施の形態は、複数の光源ユニットを同一面内方向に並列配置して構成された照明装置に関する。光源ユニットとしてはＬＥＤユニット３を用いる。以下では、ＬＥＤユニット３として、上記第２の実施の形態に示した照明装置（図９（Ａ），（Ｂ））を用いる場合を例に説明する。ただし、ＬＥＤユニット３として、他の実施の形態に係る照明装置を用いることも可能である。
【００７７】
図２４の構成例では、ＬＥＤユニット３が、第１の方向（縦方向（図のｙ方向））と第１の方向に直交する第２の方向（水平横方向（図のｘ方向））とにそれぞれ３つずつ、合計９つのユニットが配置された構成とされている。ここで、水平横方向の各ユニットの配置領域を、一方の端部（左端部）側から順に、Ａブロック、Ｂブロック、Ｃブロックと称することとする。
【００７８】
ここで、図２５を参照して、各ブロックの端部の構成について説明する。
ＬＥＤユニット３は、上記第２の実施の形態において説明したように、水平方向の一方の端部（左端部）に１つのＬＥＤ群３１が位置し、他方の端部（右端部）には１つの反射板２３が位置するように配置されているものとする。このＬＥＤユニット３では、主に蛍光反射面２３Ａの反射光を照明光として用いるので、反射板２３が配置された領域に対応する部分が、照明光としての光利用エリアとなる。また、このＬＥＤユニット３では、側方から蛍光反射面２３Ａに向けて色光を照射するので、ＬＥＤ群３１が配置された領域である光源配置エリアと上記光利用エリアは水平方向にずれた状態となっている。
【００７９】
このようなＬＥＤユニット３を用いて、水平方向に隣接する２つのＬＥＤユニット３が部分的に重なり合うように組み合わせることができる。すなわち、隣接する一方のＬＥＤユニット３（例えばＡブロックのユニット）における他方の端部（右端部）に配置された反射板２３と、隣接する他方のＬＥＤユニット３（例えばＢブロックのユニット）における一方の端部（左端部）に配置されたＬＥＤ群３１とが水平方向で重なり合うように組み合わせることができる。このようにして、ＡブロックとＢブロック間の繋ぎ目であるユニット接合部６３と、ＡブロックとＢブロック間の繋ぎ目であるユニット接合部６４では、隣接する２つのＬＥＤユニット３が部分的に重なり合うようにして組み合わされる。これにより、ブロック間の繋ぎ目部分からも照明光が出射されることになるので、繋ぎ目部分が目立たないような照明装置とすることができる。
【００８０】
また、Ａブロックの左端部（ユニット左端部６１）では、ＬＥＤユニット３における左端部に配置されたＬＥＤ群３１が位置し、Ｃブロックの右端部（ユニット右端部６２）では、ＬＥＤユニット３における右端部に配置された反射板２３が位置することになる。表示装置のバックライトとして使用する場合、Ａブロックの左端部とＣブロックの右端部はオフセット領域とし、有効画面外に配置すると良い。
【００８１】
図２６は、表示装置のバックライトとして使用する場合の構成例を示している。
このバックライトでは、図２４に示した照明装置全体が１つのバックライトボックス４内に収納されている。そして、バックライトボックス４の上面には拡散板１０が配置されている。図２６において、ＬＥＤユニット３Ａ，３Ｂ，３Ｃはそれぞれ、図２４のＡブロック、Ｂブロック、およびＣブロックに対応している。
【００８２】
なお、上記第６の実施の形態におけるプリズムシート２７（図１５）や、上記第７の実施の形態におけるフレネルレンズシート２８（図２１）が、ＬＥＤユニット３Ａ，３Ｂ，３Ｃの上部に配置されていても良い。この場合には、それらと拡散板１０までの間隔ｄを十分に取ることで、輝度むらを良好に減らすことができる。
【００８３】
なお、本実施の形態におけるユニット形式の照明装置は、特に、部分駆動方式のＬＥＤバックライトとして好適である。部分駆動方式のＬＥＤバックライトは、画面全体の発光領域を複数に分割し、各領域ごとに互いに独立して発光制御が可能とされたものである。部分駆動方式のＬＥＤバックライトを用いた表示装置では、表示する映像に応じて部分的にバックライトの輝度を変えることができるので、より高品質の映像を表示することができる。
［その他の実施の形態］
【００８４】
本発明は、上記各実施の形態に限定されず、その他の変形実施が可能である。
例えば、上記第１の実施の形態では、表示装置として液晶表示装置の例（図８）を示したが、本発明の照明装置は、液晶表示装置以外の表示装置にも適用可能である。また、本発明の照明装置は、表示装置のバックライト以外の目的で使用することも可能である。
【００８５】
また、上記各実施の形態では、ＬＥＤ群として青色ＬＥＤを用い、励起光を青色光とした場合を例に説明したが、各実施の形態において、ＬＥＤ群として例えば近紫外光を発するＬＥＤを用いても良い。
【図面の簡単な説明】
【００８６】
【図１】本発明の第１の実施の形態に係る照明装置の基本原理を示す構成図である。
【図２】本発明の第１の実施の形態に係る照明装置の一例を示す側方断面図である。
【図３】励起光として紫外光を用いた場合の蛍光体の励起と発光の依存関係を示した説明図である。
【図４】励起光として紫外光を用いる場合の蛍光面の構成例とその発光強度の特性を示す説明図であり、（Ａ）は第１の構成例とその特性、（Ｂ）は第２の構成例とその特性を示す。
【図５】励起光として青色光を用いた場合の蛍光体の励起と発光の依存関係を示した説明図である。
【図６】励起光として青色光を用いる場合の蛍光面の構成例とその発光強度の特性を示す説明図であり、（Ａ）は第１の構成例とその特性、（Ｂ）は第２の構成例とその特性を示す。
【図７】励起光として青色光を用いる場合の蛍光面の第３の構成例とその発光強度の特性を示す説明図である。
【図８】本発明の第１の実施の形態に係る照明装置を用いた表示装置の一例を示す全体構成図である。
【図９】本発明の第２の実施の形態に係る照明装置の一構成例を示す図であり、（Ａ）はその側方断面図、（Ｂ）はＬＥＤの配置を示す説明図である。
【図１０】本発明の第３の実施の形態に係る照明装置の一構成例を示す図であり、（Ａ）はその上面図、（Ｂ）はその側方断面図である。
【図１１】本発明の第４の実施の形態に係る照明装置の一例を示す側方断面図である。
【図１２】観察方向の違いによる見え方の問題点を示す説明図である。
【図１３】本発明の第５の実施の形態に係る照明装置の基本構成を示す側方断面図である。
【図１４】本発明の第５の実施の形態に係る照明装置において、プリズムシートを用いた構成例を示す側方断面図である。
【図１５】本発明の第６の実施の形態に係る照明装置の一例を示す側方断面図である。
【図１６】スネルの法則についての説明図である。
【図１７】プリズムシートの基本的な作用を示す説明図である。
【図１８】プリズムシートの変形例を示す説明図である。
【図１９】本発明の第６の実施の形態に係る照明装置の作用・効果を示す側方断面図である。
【図２０】プリズムシートによる二重反射の作用を示す説明図である。
【図２１】本発明の第７の実施の形態に係る照明装置の一例を示す側方断面図である。
【図２２】フレネルレンズシートについての説明図である。
【図２３】本発明の第７の実施の形態に係る照明装置の作用・効果を示す側方断面図である。
【図２４】本発明の第８の実施の形態に係る照明装置の全体構成を示す斜視図である。
【図２５】本発明の第８の実施の形態に係る照明装置におけるＬＥＤユニットの接続方法の一例を示す説明図である。
【図２６】本発明の第８の実施の形態に係る照明装置を用いたバックライトボックスの一例を示す側方断面図である。
【符号の説明】
【００８７】
ＬＢ…青色光、ＬＵＶ…紫外光、Ｍ…第１の方向（反射光側）、Ｎ…第２の方向（直接光側）、１…バックライト、２…液晶パネル、３（３Ａ，３Ｂ，３Ｃ）…ＬＥＤユニット、４…バックライトボックス、５Ｒ…赤色蛍光体、５Ｇ…緑色蛍光体、１０…拡散板、１１，１３…光源、１２，１４…集光鏡、１５，１６…反射板、１５Ａ，１６Ａ…蛍光反射面、１７…混色光（白色光）、１８…筐体、１９…励起光、２０…発光光、２１…ＬＥＤ群、２１Ｂ…青色ＬＥＤ、２２…レンズシート、２３…反射板、２３Ａ…蛍光反射面、２４…混色光（白色光）、２５…方向選択性拡散シート、２６…プリズムシート、２６Ａ…微小プリズム、２６Ｍ…第１の面、２６Ｎ…第２の面、２７…プリズムシート、２７Ａ…微小プリズム、２７Ｍ…第１の面、２７Ｎ…第２の面、２８…フレネルレンズシート、２８Ａ…フレネルレンズ、２９…凹レンズ、３０…発光面、３１…ＬＥＤ群（側面射出タイプ）、３１Ａ…電極、３１Ｂ…青色ＬＥＤ、３２…集光レンズシート、５１…ＬＥＤ群（上面射出タイプ）、５１Ｂ…青色ＬＥＤ、６１…ユニット左端部、６２…ユニット右端部、６３，６４…ユニット接合部。
【図１】
2009199832.tif 000003
【図２】
2009199832.tif 000004
【図３】
2009199832.tif 000005
【図４】
2009199832.tif 000006
【図５】
2009199832.tif 000007
【図６】
2009199832.tif 000008
【図７】
2009199832.tif 000009
【図８】
2009199832.tif 000010
【図９】
2009199832.tif 000011
【図１０】
2009199832.tif 000012
【図１１】
2009199832.tif 000013
【図１２】
2009199832.tif 000014
【図１３】
2009199832.tif 000015
【図１４】
2009199832.tif 000016
【図１５】
2009199832.tif 000017
【図１６】
2009199832.tif 000018
【図１７】
2009199832.tif 000019
【図１８】
2009199832.tif 000020
【図１９】
2009199832.tif 000021
【図２０】
2009199832.tif 000022
【図２１】
2009199832.tif 000023
【図２２】
2009199832.tif 000024
【図２３】
2009199832.tif 000025
【図２４】
2009199832.tif 000026
【図２５】
2009199832.tif 000027
【図２６】
2009199832.tif 000028